(57)【要約】【課題】装着時に位置ずれが生じ難く良好なフィット性を有するベルトタイプの吸収性物品を提供する。【解決手段】第１胴回り部（１０ｂ）と第２胴回り部（１０ｆ）とを備えた本体部（１０）と、幅方向において、第１胴回り部（１０ｂ）の一方側に接合された第１ベルト部（２０Ｌ）と、第１胴回り部（１０ｂ）の他方側に接合された第２ベルト部（２０Ｒ）と、を有する吸収性物品（１）であって、第１ベルト部（２０Ｌ）には、第２ベルト部（２０Ｒ）に第１ベルト部（２０Ｌ）を係合させる第１係合部（５１）が設けられており、第２胴回り部（１０ｂ）には、係合した状態の第１ベルト部（２０Ｌ）及び第２ベルト部（２０Ｒ）のうち少なくとも一方に第２胴回り部（１０ｂ）を係合させる第２係合部（５２）が設けられており、第１ベルト部（２０Ｌ）及び第２ベルト部（２０Ｒ）は、幅方向の内側から外側に向かって長手方向の外側に傾斜するように接合されている。【選択図】図１
2020000606.tif 000002
【特許請求の範囲】
【請求項１】
互いに交差する長手方向と幅方向と厚さ方向を有し、
前記長手方向の一方側に位置する第１胴回り部と、前記長手方向の他方側に位置する第２胴回り部とを備えた本体部と、
前記幅方向において、前記第１胴回り部の一方側に接合された第１ベルト部と、前記第１胴回り部の他方側に接合された第２ベルト部と、
を有する吸収性物品であって、
前記第１ベルト部には、前記吸収性物品を装着する際に、前記第２ベルト部の非肌側に前記第１ベルト部を係合させる第１係合部が設けられており、
前記第２胴回り部には、前記吸収性物品を装着する際に、係合した状態の前記第１ベルト部及び前記第２ベルト部のうち少なくとも一方の非肌側に前記第２胴回り部を係合させる第２係合部が設けられており、
前記第１ベルト部及び前記第２ベルト部は、それぞれ前記幅方向の内側から外側に向かって前記長手方向の外側に傾斜するように前記第１胴回り部に接合されている、ことを特徴とする吸収性物品。
【請求項２】
請求項１に記載の吸収性物品であって、
前記第１胴回り部には、前記幅方向に伸縮可能な胴回り弾性領域が設けられており、
前記長手方向において、前記第１ベルト部及び前記第２ベルト部と、前記胴回り弾性領域とが重複する部分を有している、ことを特徴とする吸収性物品。
【請求項３】
請求項２に記載の吸収性物品であって、
前記長手方向において、前記第１ベルト部の前記幅方向の外側端及び前記第２ベルト部の前記幅方向の外側端と、前記胴回り弾性領域とが重複する部分を有している、ことを特徴とする吸収性物品。
【請求項４】
請求項２または３に記載の吸収性物品であって、
前記厚さ方向において、前記第１ベルト部及び前記第２ベルト部と、前記胴回り弾性領域とが重複する部分を有している、ことを特徴とする吸収性物品。
【請求項５】
請求項１〜４のいずれか１項に記載の吸収性物品であって、
前記第１ベルト部及び前記第２ベルト部の少なくとも一方には、前記第１ベルト部及び前記第２ベルト部の各々の長辺方向に伸縮可能なベルト部弾性領域が設けられている、ことを特徴とする吸収性物品。
【請求項６】
請求項５に記載の吸収性物品であって、
前記第１ベルト部に設けられた前記ベルト部弾性領域は、前記幅方向において、前記第１ベルト部の外側端よりも前記本体部の前記一方側の端に近い位置に配置されており、
前記第２ベルト部に設けられた前記ベルト部弾性領域は、前記幅方向において、前記第２ベルト部の外側端よりも前記本体部の前記他方側の端に近い位置に配置されている、ことを特徴とする吸収性物品。
【請求項７】
請求項５または６に記載の吸収性物品であって、
前記第１胴回り部には、前記幅方向に伸縮可能な胴回り弾性領域が設けられており、
前記ベルト部弾性領域の伸長応力は、前記胴回り弾性領域の伸長応力よりも高い、ことを特徴とする吸収性物品。
【請求項８】
請求項１〜７のいずれか１項に記載の吸収性物品であって、
前記本体部の前記幅方向の両側には、前記長手方向に沿って伸縮可能な脚回り弾性部材が設けられており、
前記幅方向において、前記第１ベルト部及び前記第２ベルト部と、前記脚回り弾性部材とが重複する部分を有している、ことを特徴とする吸収性物品。
【請求項９】
請求項８に記載の吸収性物品であって、
前記厚さ方向において、前記第１ベルト部及び前記第２ベルト部と、前記脚回り弾性部材とが重複する部分を有している、ことを特徴とする吸収性物品。
【請求項１０】
請求項１〜９のいずれか１項に記載の吸収性物品であって、
前記第１胴回り部は、前記厚さ方向に積層された肌側シートと非肌側シートとを有し、
前記第１ベルト部及び前記第２ベルト部の少なくとも一部は、前記肌側シートと前記非肌側シートとの間に挟まれた状態で接合されている、ことを特徴とする吸収性物品。
【請求項１１】
請求項１〜９のいずれか１項に記載の吸収性物品であって、
前記幅方向において、前記第２胴回り部の両端部から外側に延出する一対のテープ部を有し、
前記第２係合部は、前記テープ部に設けられており、
一対の前記テープ部は、それぞれ前記幅方向の内側から外側に向かって前記長手方向の外側に傾斜するように前記第２胴回り部に接合されている、ことを特徴とする吸収性物品。
【請求項１２】
請求項１〜１１のいずれか１項に記載の吸収性物品であって、
梱包状態において、前記第１ベルト部の長辺方向と、前記第２ベルト部の長辺方向とが互いに交差するように、前記第１ベルト部及び前記第２ベルト部が前記第１係合部によって係合されている、ことを特徴とする吸収性物品。
【請求項１３】
請求項１２に記載の吸収性物品であって、
梱包状態において、前記第１係合部の長辺方向と、前記第２ベルト部の長辺方向とがなす角度のうち小さい方の角度は、
前記第１係合部の前記長辺方向と、前記第２ベルト部の短辺方向とがなす角度のうち小さい方の角度よりも小さい、ことを特徴とする吸収性物品。
【発明の詳細な説明】
【技術分野】
【０００１】
本発明は、吸収性物品に関する。
【背景技術】
【０００２】
従来、吸収性物品としてベルトタイプの使い捨ておむつが知られている。ベルトタイプの使い捨ておむつでは、装着者の腰回り（胴回り）にベルト部を巻き付けて腰回りの輪を形成することにより、装着者の身体におむつ（ベルト部及び本体部）を固定する。例えば、特許文献１には、本体（４）の長手方向の一端側に、一体型の帯状の腰ベルト（１０）が接合されたベルトタイプの使い捨ておむつが開示されている。
【先行技術文献】
【特許文献】
【０００３】
【特許文献１】特表２００８−５２１４５８号公報
【発明の概要】
【発明が解決しようとする課題】
【０００４】
特許文献１のようなベルトタイプの使い捨ておむつを装着する際には、ベルト部を装着者の胴回り（腰回り）に沿って回しこみ、該ベルト部同士を厚さ方向に重ね合わせて面ファスナー等の係合部材を介して係合させることで装着者の胴回りに固定する。しかしながら、このような構成のおむつでは、装着時において上下方向の位置ずれが生じやすい。すなわち、装着者の胴回りにおいてベルト部が上下方向に固定されていないため、例えば、装着者が身体を動かした際に、ベルト部が下方側にずれ落ちやすくなる。この場合、ベルト部がずれ落ちるのに応じて本体部（吸収体）もずれ落ち、装着者の脚回りや鼠蹊部に隙間が生じて尿漏れ等が生じやすくなったり、フィット性が悪化したりするおそれがある。
本発明は、上記のような問題に鑑みてなされたものであって、その目的とするところは、装着時に位置ずれが生じ難く良好なフィット性を有するベルトタイプの吸収性物品を提供することにある。
【課題を解決するための手段】
【０００５】
上記目的を達成するための主たる発明は、
互いに交差する長手方向と幅方向と厚さ方向とを有し、前記長手方向の一方側に位置する第１胴回り部と、前記長手方向の他方側に位置する第２胴回り部とを備えた本体部と、前記幅方向において、前記第１胴回り部の一方側に接合された第１ベルト部と、前記第１胴回り部の他方側に接合された第２ベルト部と、を有する吸収性物品であって、前記第１ベルト部には、前記吸収性物品を装着する際に、前記第２ベルト部の非肌側に前記第１ベルト部を係合させる第１係合部が設けられており、前記第２胴回り部には、前記吸収性物品を装着する際に、係合した状態の前記第１ベルト部及び前記第２ベルト部のうち少なくとも一方の非肌側に前記第２胴回り部を係合させる第２係合部が設けられており、前記第１ベルト部及び前記第２ベルト部は、それぞれ前記幅方向の内側から外側に向かって前記長手方向の外側に傾斜するように前記第１胴回り部に接合されている、ことを特徴とする吸収性物品である。
【０００６】
本発明の他の特徴については、本明細書及び添付図面の記載により明らかにする。
【発明の効果】
【０００７】
本発明によれば、装着時に位置ずれが生じ難く良好なフィット性を有するベルトタイプの吸収性物品を提供することができる。
【図面の簡単な説明】
【０００８】
【図１】おむつ１の展開平面図及び断面図である。
【図２】図２Ａ〜図２Ｃは、おむつ１の装着方法について説明する概略斜視図である。
【図３】ベルト部２０の詳細な構成について説明する拡大平面図である。
【図４】おむつ１を梱包する際の一例について説明する図である。
【図５】おむつ１の変形例の展開平面図である。
【発明を実施するための形態】
【０００９】
本明細書及び添付図面の記載により、少なくとも以下の事項が明らかとなる。
互いに交差する長手方向と幅方向と厚さ方向とを有し、前記長手方向の一方側に位置する第１胴回り部と、前記長手方向の他方側に位置する第２胴回り部とを備えた本体部と、前記幅方向において、前記第１胴回り部の一方側に接合された第１ベルト部と、前記第１胴回り部の他方側に接合された第２ベルト部と、を有する吸収性物品であって、前記第１ベルト部には、前記吸収性物品を装着する際に、前記第２ベルト部の非肌側に前記第１ベルト部を係合させる第１係合部が設けられており、前記第２胴回り部には、前記吸収性物品を装着する際に、係合した状態の前記第１ベルト部及び前記第２ベルト部のうち少なくとも一方の非肌側に前記第２胴回り部を係合させる第２係合部が設けられており、前記第１ベルト部及び前記第２ベルト部は、それぞれ前記幅方向の内側から外側に向かって前記長手方向の外側に傾斜するように前記第１胴回り部に接合されている、ことを特徴とする吸収性物品。
【００１０】
このような吸収性物品によれば、装着する際に、ベルト部が斜め上方に引き上げられることにより、本体部が幅方向の両側、かつ、上下方向の上側（長手方向の外側）に引っ張られる。そして、装着者の胴回りに沿ってベルト部が背側から腹側に斜めに巻き付きけられるため、上下方向の位置ずれが生じ難くなる。また、本体部と交差する部分におけるベルト部の幅が広くなり、本体部がより広い範囲で引っ張られやすくなり、装着者の身体が本体部によって広く覆われるようになる。これらにより、装着時における位置ずれを生じ難くし、また、良好なフィット性を実現することができる。
【００１１】
かかる吸収性物品であって、前記第１胴回り部には、前記幅方向に伸縮可能な胴回り弾性領域が設けられており、前記長手方向において、前記第１ベルト部及び前記第２ベルト部と、前記胴回り弾性領域とが重複する部分を有している、ことが望ましい。
【００１２】
このような吸収性物品によれば、ベルト部と胴回り弾性領域とが長手方向に重複する領域において、ベルト部を幅方向の外側に引っ張る力が胴回り弾性領域に作用しやすくなり、胴回り弾性領域を幅方向に伸長させやすくなる。これにより、胴回り弾性領域による伸縮力が装着者の背側胴回り部に効率的に作用するようになり、吸収性物品のフィット性が向上する。
【００１３】
かかる吸収性物品であって、前記長手方向において、前記第１ベルト部の前記幅方向の外側端及び前記第２ベルト部の前記幅方向の外側端と、前記胴回り弾性領域とが重複する部分を有している、ことが望ましい。
【００１４】
このような吸収性物品によれば、ベルト部の幅方向を掴んで幅方向の両側に引っ張る際に、ベルト部を幅方向外側に引っ張る力が胴回り弾性領域により作用しやすくなり、胴回り弾性領域による伸縮力を装着者の背側胴回りに作用させやすくなる。
【００１５】
かかる吸収性物品であって、前記厚さ方向において、前記第１ベルト部及び前記第２ベルト部と、前記胴回り弾性領域とが重複する部分を有している、ことが望ましい。
【００１６】
このような吸収性物品によれば、ベルト部を幅方向両側に引っ張る力が、胴回り弾性領域に直接作用し、胴回り弾性領域を幅方向により伸長させやすくなる。これにより、胴回り弾性領域による伸縮力が装着者の背側胴回りにより効率的に作用するようになり、吸収性物品の第１胴回り部におけるフィット性がより向上する。
【００１７】
かかる吸収性物品であって、前記第１ベルト部及び前記第２ベルト部の少なくとも一方には、前記第１ベルト部及び前記第２ベルト部の各々の長辺方向に伸縮可能なベルト部弾性領域が設けられている、ことが望ましい。
【００１８】
このような吸収性物品によれば、ベルト部自体が幅方向（ベルト部の長辺方向）に伸縮可能となり、胴回り弾性領域による伸縮性と相まって、装着者の胴回りに対する吸収性物品の適合可能範囲をより広くすることができる。また、装着者が吸収性物品を装着した状態で身体を動かした場合であっても、身体の動きに応じてベルト部が変形しやすくなるため、フィット性をより向上させることができる。
【００１９】
かかる吸収性物品であって、前記第１ベルト部に設けられた前記ベルト部弾性領域は、前記幅方向において、前記第１ベルト部の外側端よりも前記本体部の前記一方側の端に近い位置に配置されており、前記第２ベルト部に設けられた前記ベルト部弾性領域は、前記幅方向において、前記第２ベルト部の外側端よりも前記本体部の前記他方側の端に近い位置に配置されている、ことが望ましい。
【００２０】
このような吸収性物品によれば、本体部の幅方向両側端の付近にベルト部弾性領域が設けられていることにより、吸収性物品の装着時でもベルト部が幅方向に伸縮しやすくなり、フィット性を向上させやすい。また、ベルト部のうち、ベルト部弾性領域の剛性は他の領域の剛性よりも低いため、本体部の幅方向両側端付近で装着者の肌と接触しやすい領域においてベルト部の剛性を低くすることにより、装着時の肌触りを柔らかくすることができる。
【００２１】
かかる吸収性物品であって、前記第１胴回り部には、前記幅方向に伸縮可能な胴回り弾性領域が設けられており、前記ベルト部弾性領域の伸長応力は、前記胴回り弾性領域の伸長応力よりも高い、ことが望ましい。
【００２２】
このような吸収性物品によれば、吸収性物品の装着時に、ベルト部を幅方向の外側に引っ張ると、先ず、胴回り弾性領域が幅方向に伸長し、続いてベルト部弾性領域が幅方向に伸長するようになる。したがって、先に伸長した胴回り弾性領域が適切な応力で装着者の背側胴回りに隙間なくフィットしやすくなり、胴回りにおけるフィット性をより向上させることができる。
【００２３】
かかる吸収性物品であって、前記本体部の前記幅方向の両側には、前記長手方向に沿って伸縮可能な脚回り弾性部材が設けられており、前記幅方向において、前記第１ベルト部及び前記第２ベルト部と、前記脚回り弾性部材とが重複する部分を有している、ことが望ましい。
【００２４】
このような吸収性物品によれば、ベルト部が斜め上方に引っ張られる際に、該ベルト部と連動して脚回り弾性部材が上方に引っ張られ、長手方向に伸長することによって、装着者の脚繰りにおいて脚回り開口の密着性をより高くすることができる。これにより、吸収性物品の脚回り開口と着用者の身体（鼠径部）との間に隙間が生じ難くなり、尿等の横漏れを抑制しやすくなる。
【００２５】
かかる吸収性物品であって、前記厚さ方向において、前記第１ベルト部及び前記第２ベルト部と、前記脚回り弾性部材とが重複する部分を有している、ことが望ましい。
【００２６】
このような吸収性物品によれば、ベルト部を斜め上方へ引き上げる力が、脚回り弾性部材に直接作用し、脚回り弾性部材を長手方向により伸長させやすくなる。これにより、吸収性物品の脚回り開口と着用者の身体との間の隙間がより生じ難くなる。
【００２７】
かかる吸収性物品であって、前記第１胴回り部は、前記厚さ方向に積層された肌側シートと非肌側シートとを有し、前記第１ベルト部及び前記第２ベルト部の少なくとも一部は、前記肌側シートと前記非肌側シートとの間に挟まれた状態で接合されている、ことが望ましい。
【００２８】
このような吸収性物品によれば、着用する際に、ベルト部が強い力で斜め上方に引っ張られたとしても、ベルト部と本体部との接合が外れ難くなる。したがって、ベルト部を引っ張る力が、胴回り弾性領域やベルト部弾性領域、脚回り弾性部材等にしっかりと伝達され、各々の弾性領域（弾性部材）が適切に伸長するようになり、吸収性物品のフィット性をより高めることができる。
【００２９】
かかる吸収性物品であって、前記幅方向において、前記第２胴回り部の両端部から外側に延出する一対のテープ部を有し、前記第２係合部は、前記テープ部に設けられており、一対の前記テープ部は、それぞれ前記幅方向の内側から外側に向かって前記長手方向の外側に傾斜するように前記第２胴回り部に接合されている、ことが望ましい。
【００３０】
このような吸収性物品によれば、着用時に、第２胴回り部を装着者の胴回りに引き上げる際に、テープ部を掴んで斜め上方に引っ張り上げながら、第２係合部をベルト部に係合させることができる。したがって、本体部を幅方向に拡幅しつつ、上方に引っ張り上げることにより、装着者の股間部に本体部がよりフィットしやすくなる。
【００３１】
かかる吸収性物品であって、梱包状態において、前記第１ベルト部の長辺方向と、前記第２ベルト部の長辺方向とが互いに交差するように、前記第１ベルト部及び前記第２ベルト部が前記第１係合部によって係合されている、ことが望ましい。
【００３２】
このような吸収性物品によれば、使用者は、第１ベルト部と第２ベルト部とが第１係合部によって交差するように係合されていることを、一見して把握することができる。また、係合部が分かりやすいため、使用者は、梱包状態の吸収性物品を迷うことなく展開することができるようになる。
【００３３】
かかる吸収性物品であって、梱包状態において、前記第１係合部の長辺方向と、前記第２ベルト部の長辺方向とがなす角度のうち小さい方の角度は、前記第１係合部の前記長辺方向と、前記第２ベルト部の短辺方向とがなす角度のうち小さい方の角度よりも小さい、ことが望ましい。
【００３４】
このような吸収性物品によれば、第２ベルト部の長辺方向（ベルト長手方向）における第１係合部の係合長さが長くなり、当該ベルト長手方向において第１ベルト部と第２ベルト部との係合が剥がれ難くなる。したがって、使用者が吸収性物品をパッケージから取り出す際に、ベルト部の係合が自然に剥がれてしまうことが抑制される。
【００３５】
＝＝＝実施形態＝＝＝
本実施形態に係る吸収性物品として、ベルトタイプの使い捨ておむつ１（以下、単におむつ１とも呼ぶ）を例に挙げて説明する。
【００３６】
＜おむつ１の基本構成＞
図１は、おむつ１の展開平面図及び断面図である。同図１では、おむつ１の「伸長状態」について表している。「伸長状態」とは、おむつ１を皺なく伸長させた状態であり、おむつ１を構成する各部材（例えば後述する本体部１０やベルト部２０等）の寸法がその部材単体の寸法と一致又はそれに近い長さになるまで伸長した状態である。
【００３７】
また、図１に示されるように、おむつ１は、互いに交差する長手方向、幅方向、厚さ方向を有している。そして、長手方向の一方側を「背側」若しくは「後側」とし、長手方向の他方側を「腹側」若しくは「前側」とする。また、厚さ方向において、おむつ１の装着時に装着者の身体に接する側を「肌側」とし、その反対側を「非肌側」とする。
【００３８】
おむつ１は、本体部１０と、本体部１０の長手方向の一方側に接合された一対のベルト部２０とを有している。なお、一対のベルト部２０が本体部１０の長手方向の他方側に接合されていても良い。また、ベルト部２０及び本体部１０には、おむつ１を装着する際に部材同士を係合する係合部５０が設けられている。
【００３９】
（本体部１０）
本体部１０は、図１のように長辺が長手方向に沿った略長方形状の部材であり、吸収体１１と、センタートップシート１２とサイドトップシート１３と、バックシート１４とを有する。また、本体部１０のうち、長手方向の一方側端部で、装着時において装着者の背側胴回りに位置する部位を第１胴回り部１０ｂとし、長手方向の他方側端部で、装着時において装着者の腹背側胴回りに位置する部位を第２胴回り部１０ｆとする。
【００４０】
吸収体１１は、液吸収性の吸収性コア１１ａと、吸収性コア１１ａを厚さ方向の両側から覆うコアラップシート１１ｂとを有する。吸収性コア１１ａは、尿等の排泄液を吸収して保持する部材であり、例えば高吸収性ポリマー（ＳＡＰ）が混入したパルプ繊維等の液体吸収性繊維により形成される。本実施形態の吸収性コア１１ａは、長手方向の前側端と後側端との間において、幅が狭くなったくびれ部１１１を有しており、図１に示されるような平面視略砂時計形状を有している。くびれ部１１１は、おむつ１装着時に装着者の両脚の間に挟まれる部位であり、当該くびれ部１１１において幅が狭くなっていることにより、本体部１０が装着者の股下部にフィットしやすくなっている。また、吸収性コア１１ａの幅方向中央領域には、長手方向に沿って周囲よりも坪量が低くなった複数の低坪量領域１１５が設けられている。おむつ１の装着時には、当該低坪量領域１１５を起点として吸収性コア１１ａが折れ曲がり変形することにより、吸収体１１が装着者の身体の曲面に沿って自然にフィットしやすくなる。
【００４１】
コアラップシート１１ｂは、例えばティッシュペーパーによって形成され、低坪量領域１１５にて吸収性コア１１ａと接合されている。これにより、おむつ１の装着中に吸収性コア１１ａの型崩れが生じることが抑制される。
【００４２】
センタートップシート１２は、液透過性のシートであり、幅方向の中央部において長手方向に沿うように吸収体１１の肌側面に積層されている。本実施形態のセンタートップシート１２としては、例えば親水性のスパンボンド不織布やポイントボンド不織布等が用いられる。センタートップシート１２は、幅方向において外側端部１２ｅｏが内側に折り返され、該折り返された部分の厚さ方向の間に、糸ゴム等のＬＳＧ弾性部材１５が長手方向に伸長された状態で接合されることにより、内側立体ギャザーＬＳＧｉを形成している。おむつ１の装着時には、ＬＳＧ弾性部材１５の伸縮性に基づいて、ＬＳＧｉが長手方向に収縮しつつ装着者の肌側に立ち上がり、尿等の排泄部の横漏れを抑制する防漏壁として機能する。
【００４３】
サイドトップシート１３は、疎水性のシートであり、センタートップシート１２の幅方向両側かつ厚さ方向の肌側に配置されている。本実施形態のサイドトップシート１３としては、例えば疎水性のスパンボンド不織布やＳＭＳ不織布等が用いられる。サイドトップシート１３は、幅方向において内側端部１３ｅｉが外側に折り返され、該折り返された部分の厚さ方向の間に、糸ゴム等のＬＳＧ弾性部材１６が長手方向に伸長された状態で接合されることにより、外側立体ギャザーＬＳＧｏを形成している。おむつ１の装着時には、ＬＳＧ弾性部材１６の伸縮性に基づいて、ＬＳＧｏが長手方向に収縮しつつ装着者の肌側に立ち上がり、内側立体ギャザーＬＳＧｉと共に防漏壁として機能する。
【００４４】
バックシート１４は、吸収体１１の非肌側面に積層されたシート部材であり、液不透過性シート１４ａ、及び、その非肌側に配された疎水性シート１４ｂの二層構造である。液不透過性シート１４ａとしては、例えば樹脂フィルム等が用いられ、疎水性シート１４ｂとしては、例えば柔軟性を有する疎水性の不織布等が用いられる。
【００４５】
また、吸収性コア１１ａのくびれ部１１１の幅方向両側において、サイドトップシート１３とバックシート１４との厚さ方向の間には、糸ゴム等の複数の脚回り弾性部材１８が、長手方向に伸長された状態で接合固定されている。おむつ１の装着時には、該脚回り弾性部材１８が発現する伸縮性に基づいて、本体部１０の幅方向両側部が長手方向に収縮してレッグギャザーとして機能し、装着者の脚回りにフィットする。なお、図１では、長手方向において脚回り弾性部材１８の伸縮性が発現する領域が、破線で示されているが、より広い領域で脚回り弾性部材１８による伸縮性が発現するようにしても良い。
【００４６】
また、第１胴回り部１０ｂにおいて、センタートップシート１２（サイドトップシート１３）とバックシート１４との厚さ方向の間には、胴回り弾性部材１９が幅方向に伸長された状態で接合固定されることにより、胴回り弾性領域９１が形成されている。おむつ１の装着時には、胴回り弾性領域９１が発現する伸縮性に基づいて、本体部１０の第１胴回り部１０ｂが幅方向に収縮してウェストギャザーとして機能し、装着者の胴回りにフィットする。本実施形態では、複数の糸ゴムが長手方向に並列に並ぶことによって胴回り弾性領域９１が形成されているが、伸縮不織布等の平面状の弾性部材によって胴回り弾性領域９１が形成されていても良い。伸縮不織布を用いた場合には、胴回り弾性領域９１の全体に亘って均等な伸縮力が作用しやすくなり、装着者の腹部にウェストギャザーを柔らかくフィットさせることができる。
【００４７】
（ベルト部２０）
ベルト部２０は、幅方向において、第１胴回り部１０ｂの一方側（図１では左側）に配置された第１ベルト部２０Ｌと、第１胴回り部１０ｂの他方側（図１では右側）に配置された第２ベルト部２０Ｒと、を有する。各々のベルト部２０Ｌ，２０Ｒはほぼ同じ大きさ・形状を有する略長方形状のシート部材であり、本実施形態では、長辺の長さが約４４０ｍｍ、短辺の長さが約９０ｍｍである。ベルト部２０は、肌側シート２１と、該肌側シート２１よりも厚さ方向の非肌側に積層された非肌側シート２２とを有し、ホットメルト接着剤等の接合材によって両者が接合されることにより形成されている。肌側シート２１及び非肌側シート２２としては、例えば疎水性を有する、スパンボンド不織布、エアスルー不織布、ＳＭＳ不織布、その他伸縮性不織布等が用いられる。このうち、肌側シート２１は、おむつ１の装着時に装着者の肌と触れるため、柔軟性を高めるために滑剤を添加することが好ましい。
【００４８】
ベルト部２０（第１ベルト部２０Ｌ及び第２ベルト部２０Ｒ）は、幅方向の内側端部２０Ｌｅｉ，２０Ｒｅｉがトップシート１２，１３と、バックシート１４との間に挟まれた状態で本体部１０に接合固定されている。そして、それぞれ幅方向の内側から外側に向かって長手方向の外側（背側）に傾斜するように配置されている。すなわち、おむつ１の幅方向に対してベルト部２０の長辺方向が所定の角度αだけ傾くように、ベルト部２０が本体部１０と接合されている。
【００４９】
また、ベルト部２０の幅方向の内側端と外側端との間には、ベルト部２０の長辺方向（以下、ベルト長手方向とも呼ぶ）に沿って伸縮可能なベルト部弾性領域９２が設けられている。ベルト部弾性領域９２は、ベルト部２０の肌側シート２１及び非肌側シート２２を長辺方向（ベルト長手方向）の所定位置にて切断し、切断部を跨ぐように、ベルト部２０の長辺方向に伸縮可能な弾性部材を配置して接合することによって形成される。ベルト部弾性領域９２を構成する弾性部材としては、例えば、伸縮性不織布や伸縮性フィルム、若しくはそれらを積層させた複合シートが用いられる。
【００５０】
（係合部５０）
一対のベルト部２０の少なくとも一方には、おむつ１の装着時にベルト部２０同士を係合させる第１係合部５１が設けられている。本実施形態では、第１ベルト部２０Ｌの幅方向の外側端部２０Ｌｅо（すなわち、第１ベルト部２０Ｌの自由端側の端部）において、厚さ方向の肌側面（肌側シート２１）に略長方形状の第１係合部５１が接合されている。第１係合部５１は、厚さ方向に突出した複数のフックを有する部材であり、例えば面ファスナー等によって構成される。第１係合部５１のフック（不図示）が非係合対象である第２ベルト部２０Ｒを構成する不織布（非肌側シート２１）の表面の繊維に引っかかることにより、第１ベルト部２０Ｌを第２ベルト部２０Ｒに係合させることができる。
【００５１】
また、本体部１０のうち、長手方向においてベルト部２０が接合されていない側の端部には、おむつ１の装着時に本体部１０をベルト部２０に係合させる第２係合部５２が設けられている。本実施形態では、本体部１０の長手方向の他方側の端部（すなわち第２胴回り部１０ｆ）において、幅方向の両側かつ厚さ方向の肌側面（トップシート１２，１３）に、略長方形状の第２係合部５２が一対接合されている。第２係合部５２は、第１係合部５１と同様の構成を有し、例えば面ファスナー等によって構成される。なお、図１の例では、第２胴回り部１０ｆの幅方向の両側に一対の第２係合部５２，５２が設けられているが、第２係合部５２の配置や数量はこの限りではない。例えば、幅方向の中央部に第２係合部５２が設けられていても良い。
【００５２】
＜おむつ１の装着方法＞
続いて、おむつ１を装着する方法について簡単に説明する。図２Ａ〜図２Ｃは、おむつ１の装着方法について説明する概略斜視図である。
【００５３】
おむつ１を装着する際には、先ず、図１に示されるような展開状態のおむつ１について、本体部１０の第１胴回り部１０ｂを装着者の背側胴回りに配置しつつ、両ベルト部２０Ｌ，２０Ｒを幅方向の外側に広げた状態とする（図２Ａ参照）。
【００５４】
この状態から、第２ベルト部２０Ｒを装着者の胴回りに沿って背側から腹側へ巻き付けるようにして、外側端部２０Ｒｅоを腹側へ配置させる。続いて、第１ベルト部２０Ｌを装着者の胴回りに沿って背側から腹側へ巻き付けるようにして、外側端部２０Ｌｅоを腹側へ配置させる。そして、装着者の腹側において、第２ベルト部２０Ｒの非肌側面に、第１ベルト部２０Ｌの外側端部２０Ｌｅоを重ね合わせ、第１係合部５１を第２ベルト部２０Ｒの非肌側面に係合させる（図２Ｂ参照）。これにより、第１ベルト部２０Ｌ及び第２ベルト部２０Ｒが装着者の胴回りに沿った環状となり、おむつ１の第１胴回り部１０ｂが着用者の背側胴回りに固定される。
【００５５】
そして、本体部１０の第２胴回り部１０ｆを、装着者の股間部を通して背側から前側に回しこみつつ、第２胴回り部１０ｆを装着者の腹側胴回りに引き上げ、ベルト部２０（係合した状態の第１ベルト部２０Ｌ及び第２ベルト部２０Ｒのうち少なくとも一方）の非肌側面に第２係合部５２を係合させる（図２Ｃ参照）。これにより、胴回り開口ＢＨ、及び、一対の脚回り開口ＬＨを有するパンツ型形状のおむつ１が形成される。
【００５６】
なお、本実施形態のおむつ１は、前後を逆にして装着することも可能である。すなわち、本体部１０の第１胴回り部１０ｂを装着者の腹側胴回りに配置し、装着者の背側において第１係合部５１及び第２係合部５２に係合させるようにしておむつ１を装着しても良い。
【００５７】
＜おむつ１のフィット性について＞
本実施形態のおむつ１では、ベルト部２０の長辺方向（ベルト長手方向）が、幅方向に対して所定角度α傾斜して配置されていることにより、装着時における位置ずれが生じ難く、良好なフィット性が得られるようになっている。
【００５８】
従来のベルトタイプのおむつでは、ベルト部が幅方向に沿って配置されていた、すなわち、ベルト部長手方向とおむつ本体の長手方向とが垂直に交差するように配置されていた。このような構成のベルト部は、装着時において装着者の身体を非肌側から肌側へ締め付けることによって、装着者の胴回りにフィットさせることができる。しかしながら、おむつ装着時において上下方向には締め付けが作用しないため、上下方向（長手方向）に位置ずれが生じやすくなっていた。例えば、装着者がおむつを装着した状態で歩行したり身体を動かしたりした際に、おむつが下方にずれ落ちてしまう可能性が高く、鼠径部に隙間が生じたりフィット性が悪化したりすることによって、装着者に不快感を与えるおそれがあった。
【００５９】
これに対して、本実施形態のおむつ１では、幅方向の内側から外側に向かって長手方向の外側（背側）に傾斜するようにベルト部２０が配置されている。したがって、図２Ａ〜２Ｃで説明したように、おむつ１を装着する際にベルト部２０が左右方向（幅方向）の両側に広げられると、ベルト部２０の外側端部２０ｅоが斜め上方に引っ張り上げられる。すなわち、一対のベルト部２０Ｌ，２０Ｒによって、本体部１０が幅方向の両側、かつ、上下方向の上側（長手方向の外側）に引っ張られる。そして、装着者の胴回りに沿ってベルト部２０が背側から腹側に斜めに巻き付きけられることにより、上下方向の位置ずれが生じ難くなる。したがって、本体部１０が下方にずれ落ちてしまうことも抑制されやすくなり、装着者の鼠径部と本体部１０との間に隙間が生じて尿漏れが発生してしまうこと等が抑制される。
【００６０】
また、ベルト部２０が傾斜して配置されていることにより、本体部１０の幅方向における外側端（端縁）１０ｓとベルト部２０とが重複している部分の長手方向における長さＷ２０（図３参照）が、ベルト部２０が傾斜していない場合（従来例）と比較して長くなる。すなわち、本体部１０と交差する部分におけるベルト部２０の幅Ｗ２０が広くなる。したがって、ベルト部２０によって本体部１０がより広い範囲で引っ張られやすくなり、装着者の身体（臀部）が本体部１０によって広く覆われるようになる。
【００６１】
このように、おむつ１では、本体部１０の幅方向に対してベルト部２０の長辺方向が傾斜するように配置されていることにより、装着時における位置ずれが生じ難く、また、良好なフィット性を実現することができる。
【００６２】
なお、おむつ１の幅方向に対するベルト部２０の長辺方向（ベルト長手方向）の傾斜角度αの大きさは、３度以上５０度以下であることが望ましく、１０度前後とすることがより望ましい。傾斜角度が小さすぎると、従来のベルト型おむつと同様、上下方向の位置ずれを十分に抑制することができなくなる。一方、傾斜角度が大きすぎると、おむつ１の装着時にベルト部２０を幅方向外側に引っ張った際に、当該幅方向の力が本体部１０に対して十分作用し難くなり、本体部１０のフィット性が悪化するおそれがある。そのため、おむつ１では、ベルト部２０の傾斜角度αを３度以上、５０度以下としている。
【００６３】
また、おむつ１では、ベルト部２０が他の部位と連動することによって、位置ずれやフィット性の悪化をより抑制しやすくしている。図３は、ベルト部２０の詳細な構成について説明する拡大平面図である。なお、第１ベルト部２０Ｌと第２ベルト部２０Ｒとは、幅方向について対称（左右対称）に配置されているため、図３では、第１ベルト部２０Ｌについて示し、第２ベルト部２０Ｒについては図示を省略している。ただし、第１ベルト部２０Ｌと第２ベルト部２０Ｒとは必ずしも左右対称に配置されている必要なない。例えば、第１ベルト部２０Ｌと第２ベルト部２０Ｒとで、左右方向の長さや長手方向の長さが異なっていても構わないし、それぞれが長方形とは異なる形状であっても構わない。
【００６４】
図３の斜線部の領域で示されるように、長手方向において、ベルト部２０（第１ベルト部２０Ｌ及び第２ベルト部２０Ｒ）は、胴回り弾性領域９１と重複する部分を有している。したがって、おむつ１を装着する際に、ベルト部２０が幅方向（左右方向）の両側に引っ張られると、胴回り弾性領域９１も幅方向の外側に引っ張られやすくなる。すなわち、長手方向においてベルト部２０と胴回り弾性領域９１とが重複する領域で、ベルト部２０を幅方向の外側に引っ張る力が胴回り弾性領域９１に作用しやすくなり、胴回り弾性領域９１が幅方向に伸長されやすくなる。これにより、胴回り弾性領域９１による伸縮力が装着者の背側胴回りに効率的に作用するようになり、第１胴回り部１０ｂにおけるフィット性が向上する。
【００６５】
さらに、胴回り弾性領域９１とベルト部２０とが厚さ方向において重複する部分を有するようにしても良い。この場合、ベルト部２０を幅方向両側に引っ張る力が、胴回り弾性領域９１に直接作用し、胴回り弾性領域９１を幅方向により伸長させやすくなる。これにより、胴回り弾性領域９１による伸縮力が装着者の背側胴回りに対してより効率的に作用するようになり、おむつ１の第１胴回り部１０ｂにおけるフィット性がより向上する。
【００６６】
また、長手方向において、ベルト部２０の幅方向の外側端２０ｓと胴回り弾性領域９１とが重複する部分を有している。なお、ここで言う「ベルト部２０の幅方向の外側端２０ｓ」とは、ベルト部２０のうち、幅方向の外側に位置している短辺のことを指す。おむつ１の装着時にベルト部２０が幅方向の両側に引っ張られる際には、幅方向におけるベルト部２０の外側端部２０Ｌｅо，２０Ｒｅｏが掴まれて引っ張られる場合が多い。したがって、仮に、ベルト部２０の幅方向外側の端（短辺）２０ｓの位置と胴回り弾性領域９１の位置とが長手方向においてずれていた場合、ベルト部２０を幅方向外側に引っ張る力が作用する位置と、胴回り弾性領域９１を方向外側に引っ張る力が作用する位置とがずれてしまい、胴回り弾性領域９１が幅方向に伸長し難くなってしまうおそれがある。これに対して、本実施形態では、ベルト部２０の幅方向外側の端（短辺）２０ｓと胴回り弾性領域９１とが長手方向において重複する部分を有しているため、ベルト部２０を幅方向外側に引っ張る力が作用する位置と胴回り弾性領域９１を方向外側に引っ張る力が作用する位置とが、少なくとも長手方向の一部で重複する。したがって、胴回り弾性領域９１を幅方向に伸長させやすく、胴回り弾性領域９１による伸縮力を装着者の背側胴回りに作用させやすくすることができる。
【００６７】
また、ベルト部２０には、ベルト長手方向に沿って伸縮可能なベルト部弾性領域９２が設けられているため、ベルト部２０自体が幅方向に伸縮することが可能である。したがって、胴回り弾性領域９１による伸縮性と相まって、装着者の胴回りに対するおむつ１の適合可能範囲をより広くすることができる。また、装着者がおむつ１を装着した状態で身体を動かした場合であっても、身体の動きに応じてベルト部２０が変形しやすくなるため、フィット性をより向上させることができる。なお、ベルト部弾性領域９２は、第１ベルト部２０Ｌ及び第２ベルト部２０Ｒの両方に設けられていることが望ましいが、第１ベルト部２０Ｌ及び第２ベルト部２０Ｒの一方側にのみに設けられているのであっても上述の効果を得ることができる。
【００６８】
このベルト部弾性領域９２は、幅方向（ベルト長手方向）において、ベルト部２０（２０Ｌ，２０Ｒ）の外側端２０ｓよりも、本体部１０の外側端１０ｓに近い位置に配置されていることが望ましく、厚さ方向において本体部１０の外側端１０ｓと重複して配置されていることがより望ましい。例えば、第１ベルト部２０Ｌの外側端２０ｓを含む幅方向外側端部２０Ｌｅоは、おむつ１の装着時に第１係合部５１によって第２ベルト部２０Ｒの外側端部２０Ｒｅоと係合されるため（図２Ｂ参照）、当該領域付近にベルト部弾性領域９２が設けられていてもベルト部２０は幅方向に伸縮し難い。一方、本体部１０の外側端１０ｓ付近にベルト部弾性領域９２が設けられていれば、おむつ１の装着時においてもベルト部２０が幅方向に伸縮しやすく、フィット性を向上させやすい。また、ベルト部２０のうち、ベルト部弾性領域９２の剛性は他の領域の剛性よりも低いため、本体部１０の外側端１０ｓ付近で装着者の肌と接触しやすい領域においてベルト部２０の剛性を低くすることにより、肌触りを柔らかくすることができる。
【００６９】
そして、ベルト部弾性領域９２の幅方向における伸長応力は、胴回り弾性領域９１の幅方向における伸長応力よりも高いことが望ましい。すなわち、ベルト部弾性領域９２は、胴回り弾性領域９１よりも幅方向に伸長し難いことが望ましい。この場合、ベルト部２０を幅方向の外側に引っ張ると、先ず、胴回り弾性領域９１が幅方向に伸長し、続いてベルト部弾性領域９２が幅方向に伸長するようになる。したがって、先に伸長した胴回り弾性領域９１（ウェストギャザー）が適切な応力で装着者の背側胴回りに隙間なくフィットしやすく、その後、ベルト部弾性領域９２による伸縮性に基づいてベルト部２０を装着者の胴回りに沿ってフィットさせることができる。これにより、おむつ１装着時における胴回りのフィット性がより高くなる。
【００７０】
なお、「伸長応力」は、例えば、以下のような応力試験を行うことによって測定することができる。まず、おむつ１から胴回り弾性領域９１を含む部位を切り出して、所定の大きさにカットして試験片Ａとする。同様に、ベルト部弾性領域９２を含む部位を切り出して、試験片Ａと同じ大きさにカットして試験片Ｂとする。これらの試験片Ａ，Ｂについて、それぞれ左右方向において弛緩時における長さ（例えば２５ｍｍ）を測定区間として引っ張り試験器（インストロン社）のチャックで挟み込む。そして、所定の速度（例えば１００ｍｍ／ｍｉｎ）で測定区間を所定の長さ（例えば５０ｍｍ）に伸長するまで左右方向の両側に引っ張り、その後、１００ｍｍ／ｍｉｎの速度でチャック間距離がはじめの長さ（２５ｍｍ）に戻るまで収縮させる。このサイクルを複数回（例えば２回）繰り返し、複数サイクル目において、所定の長さまで伸長させたときの引っ張り荷重を測定することにより、試験片Ａ及び試験片Ｂの伸長応力をそれぞれ算出して比較する。なお、試験片の伸縮可能範囲が狭く所定の長さまで伸長できない場合は、測定区間の伸長時の所定の長さを短くする（例えば５０ｍｍを４０ｍｍとする）など調整すればよい。
【００７１】
また、幅方向において、ベルト部２０（第１ベルト部２０Ｌ及び第２ベルト部２０Ｒ）は、脚回り弾性部材１８と重複する部分を有している。おむつ１では、ベルト部２０が斜め上方（長手方向の外側）に引っ張られることにより、ベルト部２０と脚回り弾性部材１８とが重複する領域では、該ベルト部２０と連動して、脚回り弾性部材１８も上方に引っ張られる。したがって、脚回り弾性部材１８が長手方向に伸長しやすくなり、装着者の鼠蹊部おいておむつ１の脚回り開口ＬＨの密着性をより高くすることができる。これにより、おむつ１の脚回り開口ＬＨと装着者の鼠径部との間に隙間が生じ難くなり、尿等の横漏れを抑制しやすくなる。
【００７２】
さらに、脚回り弾性部材１８とベルト部２０とが厚さ方向において重複する部分を有するようにしても良い。この場合、ベルト部２０を斜め上方へ引き上げる力が、脚回り弾性部材１８に直接作用し、脚回り弾性部材１８を長手方向により伸長させやすくなる。これにより、おむつ１の脚回り開口ＬＨと着用者の鼠径部との間の隙間がより生じ難くなる。
【００７３】
なお、上述したように、ベルト部２０の幅方向の内側端部２０Ｌｅｉ，２０Ｒｅｉは、トップシート１２，１３と、バックシート１４との間に挟まれた状態で本体部１０に強固に接合されている。したがって、おむつ１を着用する際に、ベルト部２０が強い力で斜め上方に引っ張られたとしても、ベルト部２０と本体部１０との接合は外れ難い。これにより、ベルト部２０を引っ張る力が、第１胴回り部１０ｂやベルト部弾性領域９２、脚回り弾性部材１８等にしっかりと伝達され、各々の弾性部材が適切に伸長するようになり、おむつ１のフィット性を高めやすくなっている。
【００７４】
また、おむつ１のベルト部２０は、幅方向において本体部１０の外側端１０ｓよりも外側に大きく延出していることから、おむつ１を市場に流通させる際には、ベルト部２０を小さく折り畳んで、なるべくコンパクトな形状として梱包する必要がある。図４は、おむつ１を梱包する際の一例について説明する図である。
【００７５】
おむつ１を梱包する際には、ベルト部２０Ｌ，２０Ｒをそれぞれ幅方向の内側に折り曲げて、幅方向中央部付近にて第１係合部５１によって第１ベルト部２０Ｌと第２ベルト部２０Ｒとを係合させ、両者の位置を固定する。このとき、図４に示されるように、第１ベルト部２０Ｌ及び第２ベルト部２０Ｒを斜めに折り曲げることにより、第１ベルト部２０Ｌの長辺方向（ベルト長手方向）と、第２ベルト部２０Ｒの長辺方向（ベルト長手方向）とが交差するようにしてベルト部２０を折り畳む。そして、長手方向の所定位置において幅方向に沿った第１折り曲げ部Ｆ１及び第２折り曲げ部Ｆ２にて本体部１０を長手方向に３つ折りにする。このようにして、おむつ１をコンパクトに折り畳むことができる。なお、図４ではベルト部２０Ｌ，２０Ｒが本体部１０の肌側に折り畳まれているが、本体部１０の非肌側に折り畳むようにしても良い。また、本体部１０は長手方向に２つ折りにされるのであっても良いし、４つ折り以上であっても良い。
【００７６】
図４のように、ベルト部２０Ｌ，２０Ｒが互いに交差するように係合されていることにより、おむつ１を購入して梱包を開封した使用者は、第１ベルト部２０Ｌと第２ベルト部２０Ｒとが第１係合部５１によって幅方向中央部にて係合されていることを、一見して把握しやすくなる。仮に、第１ベルト部２０Ｌ及び第２ベルト部２０Ｒが共に幅方向に沿って真っすぐ折り曲げられていた場合、第１ベルト部２０Ｌと第２ベルト部２０Ｒとが厚さ方向に重なり合って一本の帯に見えてしまうおそれがある。また、両者は、幅方向の端部において第１係合部５１によって係合されることになるため、第１ベルト部２０Ｌと第２ベルト部２０Ｒとの係合位置が目立ちにくく、おむつ１をスムーズに展開することが困難になるおそれがある。これに対して、図４のように第１ベルト部２０Ｌと第２ベルト部２０Ｒと交差させるようにして折り畳むことで、第１ベルト部２０Ｌと第２ベルト部２０Ｒとの係合位置が認識されやすくなり、使用者は、第１ベルト部２０Ｌと第２ベルト部２０Ｒをどのように展開すればよいのかを理解しやすい。したがって、使用者はおむつ１を迷うことなくスムーズに展開できるようになる。
【００７７】
また、第１ベルト部２０Ｌと第２ベルト部２０Ｒとが交差するように係合される場合、図４に示されるように、第１係合部５１の長辺方向が、第２ベルト部２０Ｒの長辺方向（ベルト長手方向）に対して沿うような配置となる。すなわち、第１係合部５１の長辺方向と第２ベルト部２０Ｒの長辺方向とがなす角度のうち小さい方の角度θ１が、第１係合部５１の長辺方向と第２ベルト部２０Ｒの短辺方向とがなす角度のうち小さい方の角度θ２よりも小さくなる（θ１＜θ２）。この場合、第２ベルト部２０Ｒのベルト長手方向に対して第１係合部５１が係合している部分の長さが長くなる。すなわち、ベルト長手方向における係合範囲が大きくなり、当該ベルト長手方向において第１ベルト部２０Ｌと第２ベルト部２０Ｒとの係合が剥がれ難くなる。したがって、おむつ１を購入した人がパッケージから取り出す際に、ベルト部２０の係合が自然に剥がれてしまうこと等が抑制される。
【００７８】
＜変形例＞
おむつ１の第２係合部５２は、以下のように変形しても良い。図５は、おむつ１の変形例の展開平面図である。変形例のおむつ１では、本体部１０の第２胴回り部１０ｆの幅方向両端部に、一対のテープ部４０，４０が設けられている。テープ部４０は、図５に示されるような略長方形状のシート部材であり、本体部１０の幅方向の外側端１０ｓから外側に延出して配置されており、延出した部分の肌側面に第２係合部５２が設けられている。そして、テープ部４０は、それぞれ幅方向の内側から外側に向かって長手方向の外側（腹側）に傾斜するように配置されている。すなわち、テープ部４０は、おむつ１の幅方向に対してテープ部４０の長辺方向が所定の角度βだけ傾くように、本体部１０と接合されている。
【００７９】
変形例のおむつ１を装着する際には、図２Ａ〜２Ｃで説明したのと同様に、先ず本体部１０の第１胴回り部１０ｂを装着者の背側胴回りに配置した状態から、ベルト部２０を胴回りに巻き付けるようにして環状に係合させる。そして、第２胴回り部１０ｆを装着者の股間部を通して背側から前側に回しこみつつ、第２胴回り部１０ｆを装着者の腹側胴回りに引き上げ、ベルト部２０の非肌側面に第２係合部５２を係合させる。
【００８０】
本変形例では、第２胴回り部１０ｆを装着者の腹側胴回りに引き上げる際に、一対のテープ部４０，４０を掴んで斜め上方に引っ張り上げながら、第２係合部５２をベルト部２０に係合させることができる。すなわち、本体部１０の第２胴回り部１０ｆを幅方向に拡幅しつつ、上方に引っ張り上げることにより、装着者の股間部に本体部１０をよりフィットさせやすくすることができる。また、腹側において本体部１０が幅方向に広げられた状態で第２係合部５２によってベルト部２０と係合されるため、装着者の腹側胴回りの広い領域を本体部１０によって覆うことができるようになる。
【００８１】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００８２】
上述の実施形態では、係合部５０（第１係合部５１及び第２係合部５２）として、フックを有する面ファスナーが例示されていたが、係合部５０が他の構成であっても良い。例えば、係合部５０として不織布に対して貼付可能な粘着部材等が用いられるのであっても良い。
【符号の説明】
【００８３】
１  使い捨ておむつ（おむつ）、
１０  本体部、
１０ｂ  第１胴回り部、１０ｆ  第２胴回り部、１０ｓ  端、
１１  吸収体、１１ａ  吸収性コア、１１ｂ  コアラップシート、
１２  センタートップシート、１２ｅｏ  外側端部、
１３  サイドトップシート、１３ｅｉ  内側端部、
１４  バックシート、１４ａ  液不透過性シート、１４ｂ  疎水性シート、
１５  ＬＳＧ弾性部材、
１６  ＬＳＧ弾性部材、
１８  脚回り弾性部材、
１９  胴回り弾性部材、
２０  ベルト部、２０ｓ  端（短辺）、
２０Ｌ  第１ベルト部、２０Ｌｅｉ  内側端部、２０Ｌｅо  外側端部、
２０Ｒ  第２ベルト部、２０Ｒｅｉ  内側端部、２０Ｒｅо  外側端部、
２１  肌側シート、２２  非肌側シート、
４０  テープ部、
５０  係合部、
５１  第１係合部、５２  第２係合部、
９１  胴回り弾性領域、９２  ベルト部弾性領域、
１１１  くびれ部、１１５  低坪量領域、
ＬＳＧｉ  内側立体ギャザー、ＬＳＧｏ  外側立体ギャザー、
ＬＢ  胴回り開口、
ＬＨ  脚回り開口、
α  角度、β  角度
【図１】
2020000606.tif 000003
【図２】
2020000606.tif 000004
【図３】
2020000606.tif 000005
【図４】
2020000606.tif 000006
【図５】
2020000606.tif 000007